(57)【要約】【課題】  本発明は、電池を収容する電池収容装置および携帯装置に関し、電池の膨張により電池に過大な圧力が作用することを防止することを目的とする。【解決手段】  筐体に形成され電池が収容される電池室を、カバー部材により覆ってなる電池収容装置において、前記筐体と前記カバー部材とを固定するロック手段と、前記電池の膨張時に、前記ロック手段を解除するロック解除手段とを有することを特徴とする。【選択図】      図２
2008226496.tif 000002
【特許請求の範囲】
【請求項１】
筐体に形成され電池が収容される電池室を、カバー部材により覆ってなる電池収容装置において、
前記筐体と前記カバー部材とを固定するロック手段と、
前記電池の膨張時に、前記ロック手段を解除するロック解除手段と、
を有することを特徴とする電池収容装置。
【請求項２】
請求項１記載の電池収容装置において、
前記ロック手段は、前記カバー部材を前記筐体にロックするロック部材を有し、
前記ロック解除手段は、前記電池の膨張により前記ロック部材のロックを解除することを特徴とする電池収容装置。
【請求項３】
請求項２記載の電池収容装置において、
前記ロック解除手段は、
前記電池の膨張を検出する検出手段と、
前記検出手段により前記電池の膨張が検出された時に前記ロック部材をロックの解除位置に移動する移動手段と、
を有することを特徴とする電池収容装置。
【請求項４】
請求項３記載の電池収容装置において、
前記検出手段は、前記電池の膨張により押圧される位置に配置される圧力センサであることを特徴とする電池収容装置。
【請求項５】
請求項１記載の電池収容装置において、
前記ロック手段は、前記カバー部材または前記筐体のいずれか一方に移動可能に配置されるロック部材を有し、
前記ロック解除手段は、前記電池の膨張により前記ロック部材を移動しロックを解除することを特徴とする電池収容装置。
【請求項６】
請求項５記載の電池収容装置において、
前記ロック解除手段は、前記ロック部材に連結され前記電池の膨張により前記ロック部材を移動する移動部材を有することを特徴とする電池収容装置。
【請求項７】
請求項１ないし請求項６のいずれか１項記載の電池収容装置において、
前記ロック解除手段によりロックが解除された時に、前記電池室を覆う前記カバー部材の覆いを開放する開放手段を有することを特徴とする電池収容装置。
【請求項８】
請求項７記載の電池収容装置において、
前記開放手段は、前記カバー部材を開放方向に付勢する付勢部材を有することを特徴とする電池収容装置。
【請求項９】
請求項７または請求項８記載の電池収容装置において、
前記ロック解除手段によりロックが解除された時に、前記電池を前記電池室から離脱させる離脱手段を有することを特徴とする電池収容装置。
【請求項１０】
請求項９記載の電池収容装置において、
前記離脱手段は、前記電池を前記カバー部材側に付勢する付勢部材を有することを特徴とする電池収容装置。
【請求項１１】
筐体に形成され電池が収容される電池室を、カバー部材により覆ってなる電池収容装置において、
前記カバー部材は、前記電池の膨張による押圧力により変形し前記電池の膨張を許容する膨張許容手段を有することを特徴とする電池収容装置。
【請求項１２】
請求項１１記載の電池収容装置において、
前記膨張許容手段は、前記カバー部材に形成されるスリットを有することを特徴とする電池収容装置。
【請求項１３】
請求項１１記載の電池収容装置において、
前記膨張許容手段は、前記カバー部材の少なくとも一部に形成される弾性変形部を有することを特徴とする電池収容装置。
【請求項１４】
請求項１ないし請求項１３のいずれか１項記載の電池収容装置において、
前記電池の膨張は、前記電池の最も広い面の膨張であることを特徴とする電池収容装置。
【請求項１５】
請求項１ないし請求項１４のいずれか１項記載の電池収容装置を有することを特徴とする携帯装置。
【発明の詳細な説明】
【技術分野】
【０００１】
本発明は、電池を収容する電池収容装置および携帯装置に関する。
【背景技術】
【０００２】
リチウムイオン二次電池、リチウムポリマー二次電池等の二次電池は、充放電を繰り返すと電池が膨張することが知られている。そして、このような電池を収容する電池収容装置では、予め、電池の膨張を予測して電池室の空間を確保し、電池の膨張を許容することが行われている。
【特許文献１】特開２００５−１５９６３８号公報
【発明の開示】
【発明が解決しようとする課題】
【０００３】
しかしながら、従来の電池収容装置では、電池が不良あるいは粗悪な設計である場合には、予測を超えて電池が膨張するため、電池の膨張が電池室を覆うカバー部材により阻止されるおそれがあるという問題があった。このように、電池の膨張が阻止されると、電池に過大な圧力が作用し、電池の正常な作動が阻害され、また、電池や筐体の内蔵物が損傷するおそれがある。
【０００４】
本発明は、かかる従来の問題を解決するためになされたもので、電池の膨張により電池に過大な圧力が作用することを防止することができる電池収容装置および携帯装置を提供することを目的とする。
【課題を解決するための手段】
【０００５】
第１の発明の電池収容装置は、筐体に形成され電池が収容される電池室を、カバー部材により覆ってなる電池収容装置において、前記筐体と前記カバー部材とを固定するロック手段と、前記電池の膨張時に、前記ロック手段を解除するロック解除手段とを有することを特徴とする。
第２の発明の電池収容装置は、第１の発明の電池収容装置において、前記ロック手段は、前記カバー部材を前記筐体にロックするロック部材を有し、前記ロック解除手段は、前記電池の膨張により前記ロック部材のロックを解除することを特徴とする。
【０００６】
第３の発明の電池収容装置は、第２の発明の電池収容装置において、前記ロック解除手段は、前記電池の膨張を検出する検出手段と、前記検出手段により前記電池の膨張が検出された時に前記ロック部材をロックの解除位置に移動する移動手段とを有することを特徴とする。
第４の発明の電池収容装置は、第３の発明の電池収容装置において、前記検出手段は、前記電池の膨張により押圧される位置に配置される圧力センサであることを特徴とする。
【０００７】
第５の発明の電池収容装置は、第１の発明の電池収容装置において、前記ロック手段は、前記カバー部材または前記筐体のいずれか一方に移動可能に配置されるロック部材を有し、前記ロック解除手段は、前記電池の膨張により前記ロック部材を移動しロックを解除することを特徴とする。
第６の発明の電池収容装置は、第５の発明の電池収容装置において、前記ロック解除手段は、前記ロック部材に連結され前記電池の膨張により前記ロック部材を移動する移動部材を有することを特徴とする。
【０００８】
第７の発明の電池収容装置は、第１ないし第６のいずれか１の発明の電池収容装置にお
いて、前記ロック解除手段によりロックが解除された時に、前記電池室を覆う前記カバー部材の覆いを開放する開放手段を有することを特徴とする。
第８の発明の電池収容装置は、第７の発明の電池収容装置において、前記開放手段は、前記カバー部材を開放方向に付勢する付勢部材を有することを特徴とする。
【０００９】
第９の発明の電池収容装置は、第７または第８の電池収容装置において、前記ロック解除手段によりロックが解除された時に、前記電池を前記電池室から離脱させる離脱手段を有することを特徴とする。
第１０の発明の電池収容装置は、第９の発明の電池収容装置において、前記離脱手段は、前記電池を前記カバー部材側に付勢する付勢部材を有することを特徴とする。
【００１０】
第１１の発明の電池収容装置は、筐体に形成され電池が収容される電池室を、カバー部材により覆ってなる電池収容装置において、前記カバー部材は、前記電池の膨張による押圧力により変形し前記電池の膨張を許容する膨張許容手段を有することを特徴とする。
第１２の発明の電池収容装置は、第１１の発明の電池収容装置において、前記膨張許容手段は、前記カバー部材に形成されるスリットを有することを特徴とする。
【００１１】
第１３の発明の電池収容装置は、第１１の発明の電池収容装置において、前記膨張許容手段は、前記カバー部材の少なくとも一部に形成される弾性変形部を有することを特徴とする。
第１４の発明の電池収容装置は、第１ないし第１３のいずれか１の発明の電池収容装置において、前記電池の膨張は、前記電池の最も広い面の膨張であることを特徴とする。
【００１２】
第１５の発明の携帯装置は、第１ないし第１４のいずれか１の発明の電池収容装置を有することを特徴とする。
【発明の効果】
【００１３】
本発明の電池収容装置では、電池の膨張により電池に過大な圧力が作用することを防止することができる。
【発明を実施するための最良の形態】
【００１４】
以下、図面を用いて本発明の実施形態を詳細に説明する。
(第１の実施形態)
図１および図２は、本発明の電池収容装置の第１の実施形態を示している。
この電池収容装置は、筐体１１、カバー部材１３を有している。
筐体１１には、電池１５を収容する電池室１７が形成されている。筐体１１は直方体状をしており、その一面の電池室面１１ａに電池室１７が開口している。電池室１７は、直方体状をしており底面部１７ａを有している。電池室１７は、電池室面１１ａの長手方向の一方に偏って形成されている。電池室１７と筐体１１の端面１１ｂとの間には壁面部１７ｂが形成されている。
【００１５】
電池１５は、電池室１７より小さい直方体状をしている。電池１５は、６面の内の２面の面積が大きい薄型状とされている。面積の最も大きい大面積面１５ａの一方は、電池室１７の底面部１７ａに対向して収容される。電池１５には、リチウムイオン二次電池、リチウムポリマー二次電池等の二次電池が使用される。
カバー部材１３は、筐体１１に形成される電池室１７の開口を覆って配置される。カバー部材１３は、蓋部１３ａ、取付部１３ｂを有している。蓋部１３ａは、電池室１７の開口を覆って配置される。取付部１３ｂは、蓋部１３ａに直角に形成されている。取付部１３ｂには係止穴１３ｃが形成されている。取付部１３ｂは、電池室１７の壁面部１７ｂに設けられたロック部材２３に嵌合可能とされている。
【００１６】
壁面部１７ｂには、図２に示すように、ロック機構１９、ロック解除機構２１が配置されている。
ロック機構１９は、筐体１１にカバー部材１３を固定する。ロック機構１９は、ロック部材２３、コイルスプリング２５を有している。ロック部材２３は、カバー部材１３の取付部１３ｂに形成される係止穴１３ｃに挿脱可能とされている。ロック部材２３は、鉄等の磁性体からなる。コイルスプリング２５は、ロック部材２３を取付部１３ｂ側に付勢する。
【００１７】
ロック解除機構２１は、電池１５の膨張時にロック機構１９を自動的に解除する。また、電池１５の交換時等にロック機構１９を解除する。ロック解除機構２１は、電磁石２７、圧力センサ２９、ロック解除スイッチ３１、制御部３３を有している。
電磁石２７は、壁面部１７ｂのロック部材２３を取付部１３ｂと反対側に吸着可能な位置に配置されている。圧力センサ２９は、電池１５の膨張を検出する。圧力センサ２９は、電池室１７の底面部１７ａに配置されている。圧力センサ２９には、圧電素子等が使用される。ロック解除スイッチ３１は、図１に示すように、筐体１１の電池室面１１ａに配置されている。そして、使用者による操作部３１ａのスライド操作によりスイッチをオンすることによりロック機構１９が解除される。
【００１８】
制御部３３には、圧力センサ２９、ロック解除スイッチ３１からの信号が入力される。制御部３３には、圧力センサ２９からの圧力信号が常時あるいは一定時間毎に入力される。制御部３３は、電池１５の膨張により圧力センサ２９が押圧され、圧力センサ２９に作用する圧力が所定の閾値ｋ１を超えると電磁石２７をオンにする。また、ロック解除スイッチ３１がオンされると電磁石２７をオンにする。
【００１９】
筐体１１の電池室面１１ａには、例えば赤ランプからなる警告用ランプ３５が配置されている。制御部３３は、圧力センサ２９に作用する圧力が所定の第２の閾値ｋ２を超えると警告用ランプ３５を点灯する。第２の閾値ｋ２は、電磁石２７をオンする閾値ｋ１より低めの圧力に設定されている。従って、電池１５の膨張をより早期に知り電池１５の交換を行うことができる。電池室１７内には、電池１５との電気的な接続を行う接点３７が配置されている。
【００２０】
上述した電池収容装置では、電池１５の膨張が無い場合あるいは小さい場合には、圧力センサ２９に作用する電池１５の押圧力は小さく、所定の閾値ｋ１以下の圧力が圧力センサ２９に作用する。
一方、電池１５が不良あるいは粗悪な設計である場合等には、図３に示すように、予測を超えて電池１５が膨張する場合がある。そして、電池１５の膨張が電池室１７を覆うカバー部材１３により阻止されているため、所定の閾値ｋ１を超えた圧力が圧力センサ２９に作用する。圧力センサ２９からの圧力信号は、制御部３３に常時あるいは一定時間毎に入力されており、制御部３３は、圧力センサ２９に作用する圧力が所定の閾値ｋ１を超えると電磁石２７をオンにする。電磁石２７のオンによりロック部材２３が電磁石２７に吸着され、カバー部材１３のロックが自動的に解除される。ロックの解除により、カバー部材１３が電池室１７から離脱する方向に移動し電池１５の膨張が許容される。
【００２１】
そして、電池の交換時等には、ロック解除スイッチ３１をオンにすると、制御部３３により電磁石２７がオンされ、カバー部材１３のロックが解除される。
上述した電池収容装置では、圧力センサ２９に作用する圧力が所定の圧力を超えた時にロックを自動的に解除するようにしたので、電池１５の膨張により電池１５に過大な圧力が作用することを防止することができる。そして、これにより、電池１５の正常な作動が阻害され、また、電池１５の内蔵物が損傷するおそれを無くすことができる。
【００２２】
また、上述した電池収容装置では、ロック解除スイッチ３１をオンにすると電磁石２７がオンし、カバー部材１３のロックが解除されるため、電池１５の交換を容易に行うことができる。
そして、上述した電池収容装置では、電池１５の大面積面１５ａの変形による圧力を圧力センサ２９で検出するようにしたので、電池１５の膨張を確実に検出することができる。すなわち、直方体状(シート状も含む)の電池１５の場合には、最も面積の大きい大面積面１５ａが構造上最も弱いため、電池１５が膨張する際には、大面積面１５ａが最も膨張する。従って、この面の膨張による圧力を圧力センサ２９で検出することにより検出精度を高めることができる。
(第２の実施形態)
図４は、本発明の電池収容装置の第２の実施形態を示している。
【００２３】
なお、この実施形態において第１の実施形態と同一の部材には、同一の符号を付して詳細な説明を省略する。
この電池収容装置では、カバー部材１３Ａの裏面にヒンジ部３９が固定されている。ヒンジ部３９は、筐体１１の壁面部１７ｂ側に固定されている。ヒンジ部３９には、ロック部材２３Ａが回転移動可能に支持されている。ロック部材２３Ａは、電池１５と壁面部１７ｂとの間に位置されている。ロック部材２３Ａのヒンジ部３９側端には、回動部材４１が一体に連結されている。回動部材４１は、電池１５とカバー部材１３Ａとの間に位置されている。回動部材４１は、電池１５の膨張によりヒンジ部３９を中心にして回動し、ロック部材２３Ａを回動する。
【００２４】
ロック部材２３Ａのヒンジ部３９と反対側端には、係止部２３ａが形成されている。係止部２３ａは、壁面部１７ｂの内面に形成される凹部１７ｃに係止可能とされている。壁面部１７ｂには、ロック解除部材４３が配置されている。ロック解除部材４３の後端には、押圧部材４５が配置されている。押圧部材４５は、ロック解除部材４３に回動可能に配置されている。押圧部材４５をロック解除部材４３の軸線方向に重ねて位置させ、押圧部材４５を押圧することによりロック部材２３Ａが回動し、ロック解除部材４３を元の位置まで移動させることで、ロック部材２３Ａの係止部２３ａの凹部１７ｃへの係止が解除される。
【００２５】
上述した電池収容装置では、電池１５の膨張が無い場合あるいは小さい場合には、図４に示すように、ロック部材２３Ａの係止部２３ａが凹部１７ｃに係止してカバー部材１３Ａが電池室１７にロックされる。
一方、電池１５が不良あるいは粗悪な設計である場合等には、図５に示すように、予測を超えて電池１５が膨張する場合がある。そして、電池１５の膨張により、回動部材４１がカバー部材１３Ａ側に回転移動する。これにより、ロック部材２３Ａが電池１５側に向けて回動し、ロック部材２３Ａの係止部２３ａの凹部１７ｃへの係止が解除される。ロックの解除により、カバー部材１３Ａが電池室１７から離脱する方向に移動し、電池１５の膨張が許容される。
【００２６】
この実施形態の電池収容装置では、電池１５の膨張により回動部材４１を回転移動して、ロック部材２３Ａのロックを解除するようにしたので、電池１５の膨張により電池１５に過大な圧力が作用することを防止することができる。
また、押圧部材４５をロック解除部材４３の軸線方向に重ねて位置させ、押圧部材４５を押圧することにより、ロック部材２３Ａの係止部２３ａの凹部１７ｃへの係止が解除されるため、電池１５の交換を容易に行うことができる。
【００２７】
そして、電池１５の大面積面１５ａの大きな変形により回動部材４１を回動してロック
を解除するようにしたので、電池１５の膨張によりロックを確実に解除することができる。
(第３の実施形態)
図６は、本発明の電池収容装置の第３の実施形態を示している。
【００２８】
この電池収容装置では、カバー部材１３Ａが、電池室１７に開閉自在に配置されている。カバー部材１３Ａの壁面部１７ｂと反対側が、ピン部材４７により筐体１１に回動自在に固定されている。カバー部材１３Ａのピン部材４７側にはバネ部材４９が配置されている。カバー部材１３Ａは、バネ部材４９によりピン部材４７を中心にして外側に向けて回動するように付勢されている。
【００２９】
なお、この実施形態の電池収容装置は上述した点を除いて第２の実施形態と略同様に構成されているため、同一の部材には同一の符号を付して詳細な説明を省略する。
上述した電池収容装置では、電池１５の膨張が無い場合あるいは小さい場合には、図６に示すように、ロック部材２３Ａの係止部２３ａが凹部１７ｃに係止してカバー部材１３Ａが電池室１７にロックされる。
【００３０】
一方、電池１５が不良あるいは粗悪な設計である場合等には、図７に示すように、予測を超えて電池１５が膨張する場合がある。そして、電池１５の膨張により、回動部材４１がカバー部材１３Ａ側に回動する(図５参照)。これにより、ロック部材２３Ａが電池１５側に向けて回動し、ロック部材２３Ａの係止部２３ａの凹部１７ｃへの係止が解除される。ロックの解除により、バネ部材４９により付勢されるカバー部材１３Ａが、ピン部材４７を中心にして回動し、電池室１７が自動的に開放される。
【００３１】
この実施形態では、電池１５が異常に膨張すると、カバー部材１３Ａが自動的に回動して電池室１７が開放されるため、電池１５の異常な膨張に伴う発熱により電池室１７が損傷するおそれを低減することができる。また、電池１５の交換を容易に行うことができる。
(第４の実施形態)
図８は、本発明の電池収容装置の第４の実施形態を示している。
【００３２】
なお、この実施形態において第２の実施形態と同一の要素には、同一の符号を付して詳細な説明を省略する。
この電池収容装置では、筐体１１の側面に電池室１７Ａが開口されている。開口部１７ｄには、カバー部材１３Ｂが配置されている。カバー部材１３Ｂは、コイルスプリング５１により矢符Ａ方向に向けて付勢されている。
【００３３】
筐体１１の上面１１ｄの裏面には、ヒンジ部３９が固定されている。ヒンジ部３９は、筐体１１の開口部１７ｄ側に固定されている。ヒンジ部３９には、ロック部材２３Ａが回動可能に支持されている。ロック部材２３Ａは、電池１５とカバー部材１３Ｂとの間に位置されている。ロック部材２３Ａのヒンジ部３９側端には、回動部材４１が一体に連結されている。回動部材４１は、電池１５と上面１１ｄとの間に位置されている。回動部材４１は、電池１５の膨張によりヒンジ部３９を中心にして回転移動し、ロック部材２３Ａを移動させる。
【００３４】
ロック部材２３Ａのヒンジ部３９と反対側端には、係止部２３ａが形成されている。この係止部２３ａは、カバー部材１３Ｂの内面に形成される凹部１３ｄに係止可能とされている。筐体１１の上面１１ｄには、ロック解除部材４３Ａが配置されている。ロック解除部材４３Ａは、上面１１ｄに沿ってスライド可能とされている。ロック解除部材４３Ａを矢印Ｂ方向にスライドすることにより回動部材４１が回転移動しロックが解除される。電
池室１７Ａのカバー部材１３Ｂと反対側には、コイルスプリング５３が配置されている。コイルスプリング５３により、電池１５がカバー部材１３Ｂ側に付勢される。
【００３５】
この実施形態の電池収容装置では、電池１５の膨張が無い場合あるいは小さい場合には、図８に示すように、ロック部材２３Ａの係止部２３ａが凹部１３ｄに係止してカバー部材１３Ｂが電池室１７Ａにロックされる。
一方、電池１５が不良あるいは粗悪な設計である場合等には、図９に示すように、予測を超えて電池１５が膨張する場合がある。そして、電池１５の膨張により、回動部材４１が上面１１ｄ側に回転移動する。これにより、ロック部材２３Ａが電池１５側に向けて回転移動し、ロック部材２３Ａの係止部２３ａの凹部１３ｄへの係止が解除される(図８参照)。ロックの解除により、コイルスプリング５１により付勢されるカバー部材１３Ｂが、矢符Ａ方向に移動し、電池室１７Ａの開口部１７ｄが自動的に開放される。
【００３６】
この実施形態では、電池１５が異常に膨張すると、カバー部材１３Ｂが自動的に移動して電池室１７Ａを開放するため、電池１５の異常な膨張に伴う発熱により電池室１７Ａが損傷するおそれを低減することができる。また、電池１５の交換を容易に行うことができる。
(第５の実施形態)
図１０は、本発明の電池収容装置の第５の実施形態を示している。
【００３７】
なお、この実施形態において第２の実施形態と同一の部材には、同一の符号を付して詳細な説明を省略する。
この電池収容装置では、カバー部材１３Ｃの裏面にロック部材２３Ｂが一体形成されている。ロック部材２３Ｂは、電池１５と壁面部１７ｂとの間に位置されている。ロック部材２３Ｂの先端側には、係止部２３ａが形成されている。係止部２３ａは、壁面部１７ｂの内面に形成される凹部１７ｃに係止可能とされている。壁面部１７ｂには、ロック解除部材４３が配置されている。
【００３８】
カバー部材１３Ｃは、弾性変形可能な樹脂等の材料により形成されている。カバー部材１３Ｃの中央には、切欠部１３ｅが形成されている。切欠部１３ｅは、図１１に示すように、矩形状に形成されている。切欠部１３ｅの内側に変形部１３ｆが形成されている。変形部１３ｆの内側には、図１０に示すように、電池１５側に向けて突出する突出部１３ｈが形成されている。
【００３９】
上述した電池収容装置では、電池１５の膨張が無い場合あるいは小さい場合には、図１０に示すように、ロック部材２３Ｂの係止部２３ａが凹部１７ｃに係止してカバー部材１３Ｃが電池室１７にロックされる。
一方、電池１５が不良あるいは粗悪な設計である場合等には、図１２に示すように、予測を超えて電池１５が膨張する場合がある。そして、電池１５の膨張により、カバー部材１３Ｃの変形部１３ｆが外側に突出する。
【００４０】
この実施形態では、電池１５が膨張すると、カバー部材１３Ｃの変形部１３ｆが外側に突出するため、電池１５の膨張により電池１５に過大な圧力が作用することを防止することができる。また、カバー部材１３Ｃの変形部１３ｆの外側への突出により、電池１５が膨張していることを容易に知ることができる。
(第６の実施形態)
図１３は、本発明の電池収容装置の第６の実施形態を示している。
【００４１】
なお、この実施形態において第５の実施形態と同一の要素には、同一の符号を付して詳細な説明を省略する。
この電池収容装置では、カバー部材１３Ｄは、弾性変形可能な樹脂等の材料により形成されている。カバー部材１３Ｄの中央部には、切欠部１３ｉが形成されている。切欠部１３ｉは、図１４に示すようにＨ字状に形成されている。切欠部１３ｉの内側に一対の変形部１３ｊが形成されている。
【００４２】
この実施形態では、電池１５の膨張が無い場合あるいは小さい場合には、図１３に示すように、ロック部材２３Ｂの係止部２３ａが凹部１７ｃに係止してカバー部材１３Ｄが電池室１７にロックされる。
一方、電池１５が不良あるいは粗悪な設計である場合等には、図１５に示すように、予測を超えて電池１５が膨張する場合がある。そして、電池１５の膨張により、カバー部材１３Ｄの変形部１３ｊが外側に突出する。
【００４３】
この実施形態では、電池１５が膨張すると、カバー部材１３Ｄの変形部１３ｊが外側に突出するため、電池１５の膨張を確実に許容することが可能になる。従って、電池１５の膨張により電池１５に過大な圧力が作用することを防止することができる。また、カバー部材１３Ｄの変形部１３ｊの外側への突出により、電池１５が膨張していることを知ることができる。
【００４４】
なお、この実施形態では、カバー部材１３Ｄに切欠部１３ｉを形成して変形部１３ｊを形成した例について説明したが、カバー部材１３Ｄの一部あるいは全部をゴム等の弾性部材により形成して電池１５の膨張を許容するようにしても良い。
(第７の実施形態)
図１６は、本発明の電池収容装置の第７の実施形態を示している。
【００４５】
この電池収容装置では、電池室１７の壁面部１７ｂの内側には、突出部１７ｆが形成されている。突出部１７ｆは、電池室１７の開口の近傍に形成されている。
なお、この実施形態では上述した点を除いて第３の実施形態と同様に構成されているため、同一の部材には同一の符号を付して詳細な説明を省略する。
この実施形態の電池収容装置では、電池１５の膨張が無い場合あるいは小さい場合には、図１６に示すように、ロック部材２３Ａの係止部２３ａが凹部１７ｃに係止してカバー部材１３Ａが電池室１７にロックされる。
【００４６】
一方、電池１５が不良あるいは粗悪な設計である場合等には、図１７に示すように、予測を超えて電池１５が膨張する場合がある。そして、電池１５の膨張により、回動部材４１が回転移動し、ロック部材２３Ａの係止部２３ａの凹部１７ｃへの係止が解除される。ロックの解除により、バネ部材４９により付勢されるカバー部材１３Ａが、ピン部材４７を中心にして回動し、電池室１７が自動的に開放される。しかしながら、ロック部材２３Ａの係止部２３ａが、突出部１７ｆに係止されるため、カバー部材１３Ａは電池室１７を覆った位置に停止する。なお、カバー部材１３Ａを上方に指等で引き上げることにより、ロック部材２３Ａの係止部２３ａの突出部１７ｆへの係止が解除される。
【００４７】
この実施形態では、電池１５が異常に膨張すると、カバー部材１３Ａが自動的に回動し電池室１７が開放されるが、ロック部材２３Ａの係止部２３ａが突出部１７ｆに係止され、カバー部材１３Ａが電池室１７を覆った位置で停止する。従って、カバー部材１３Ａの開放により電池室１７から電池１５が脱落することを防止することができる。
(第８の実施形態)
図１９は、本発明の電池収容装置の第８の実施形態を示している。
【００４８】
この電池収容装置では、カバー部材１３Ａが、電池室１７に開閉自在に配置されている。
カバー部材１３Ａと筐体１１との取り付け構造は、第３の実施形態と同様なので、説明を省略する。
本実施形態の第３の実施形態に対する相違点は、ロック部材２３Ａや回動部材４１が電池室１７の内壁に回転移動自在に固定されている点と、カバー部材１３Ａの壁面部１７ｂ側にロック部材２３Ａの係止部２３ａが挿入可能な、凹部１３ｂがある点である。
【００４９】
なお、第３の実施形態に用いられる図６、図７と同一図番のものは、同じ部材なので説明を省略する。
図１９に図示されているように、電池１５は、電池係止部１１ａにより電池室１７の所定の位置に保持されている。そして、電池１５が通常の状態では、カバー部材１３Ａがロック部材２３Ａにより係止されている。一方、電池１５が膨張すると回動部材４１が下方に押され、下側に回転移動する。これに伴い、図２０に図示されているように、ロック部材２３Ａが左側に回転移動し、係止部２３ａが凹部１３ｂから離れ、カバー部材１３Ａのロックが解除される。
【００５０】
このように、ロック部材１３Ａは電池室１７内部に保持されている構造でも良い。
(第９の実施形態)
図１８は、本発明の携帯装置の一実施形態を示している。この実施形態では、本発明がヘッドマウントディスプレイに適用される。
ヘッドマウントディスプレイは、ヘッドホン６１、電池収容装置６３を有している。電池収容装置６３には、上述した各実施形態の電池収容装置を使用することができる。ヘッドホン６１と電池収容装置６３とは、ヘッドバンド６５により連結されている。ヘッドホン６１には、サイドアーム６７を介して表示ユニット６９が連結されている。そして、ヘッドバンド６５を頭部に装着すると、ヘッドバンド６５の弾性でヘッドホン６１、電池収容装置６３が耳に押し付けられ頭部に固定され、表示ユニット６９が眼前に位置される。
【００５１】
上述したヘッドマウントディスプレイでは、本発明の電池収容装置６３を使用するようにしたので、電池１５の膨張により電池１５に過大な圧力が作用することを防止することが可能になり、安全性を向上することができる。
なお、この実施形態では、ヘッドバンド６５の片側に電池収容装置６３を連結した例について説明したが、例えば、ヘッドバンド６５の両側にヘッドホン６１を連結し、ヘッドバンド６５の上部に電池収容装置６３を配置するようにしても良い。また、第１の実施形態の制御部３３として、ヘッドマウントディスプレイを制御する制御部(ＣＰＵ)を用いるようにしても良い。
(実施形態の補足事項)
以上、本発明を上述した実施形態によって説明してきたが、本発明の技術的範囲は上述した実施形態に限定されるものではなく、例えば、以下のような形態でも良い。
【００５２】
(１)上述した第９の実施形態では、本発明の電池収容装置６３をヘッドマウントディスプレイに適用した例について説明したが、例えば、携帯電話等の携帯装置に広く適用することができる。そして、携帯装置に使用する場合には、カバー部材１３、１３Ａ、１３Ｂ、１３Ｃ、１３Ｄを人体、手、顔等に接触しない箇所に設けるのが望ましい。これにより、電池１５の異常な膨張時の発熱による火傷のおそれを低減することができる。
【００５３】
(２)上述した実施形態では、本発明の電池収容装置を単独で構成した例について説明したが、例えば、携帯装置等の内部に組み込んでも良い。
(３)上述した実施形態(第８の実施形態を除く)では、電池室１７から電池１５が離脱し易いように、直方体状の電池１５の最大の大きさの面をカバー部材１３、１３Ａ、１３Ｃ、１３Ｄにより覆った例について説明したが、例えば、電池１５の２面あるいは３面をカバー部材により覆うようにしても良い。
【００５４】
(４)上述した実施形態では、二次電池に本発明を適用した例について説明したが、経時変化により膨張するおそれがある一次電池等にも適用することができる。
【図面の簡単な説明】
【００５５】
【図１】本発明の電池収容装置の第１の実施形態を示す分解斜視図である。
【図２】図１の電池収容装置の断面を示す説明図である。
【図３】図２において電池が膨張した状態を示す説明図である。
【図４】本発明の電池収容装置の第２の実施形態を示す説明図である。
【図５】図４において電池が膨張した状態を示す説明図である。
【図６】本発明の電池収容装置の第３の実施形態を示す説明図である。
【図７】図６において電池が膨張した状態を示す説明図である。
【図８】本発明の電池収容装置の第４の実施形態を示す説明図である。
【図９】図８において電池が膨張した状態を示す説明図である。
【図１０】本発明の電池収容装置の第５の実施形態を示す説明図である。
【図１１】図１０の切欠部の詳細を示す説明図である。
【図１２】図１０において電池が膨張した状態を示す説明図である。
【図１３】本発明の電池収容装置の第６の実施形態を示す説明図である。
【図１４】図１３の切欠部の詳細を示す説明図である。
【図１５】図１３において電池が膨張した状態を示す説明図である。
【図１６】本発明の電池収容装置の第７の実施形態を示す説明図である。
【図１７】図１６において電池が膨張した状態を示す説明図である。
【図１８】本発明の携帯装置の一実施形態を示す説明図である。
【図１９】本発明の電池収容装置の第８の実施形態を示す説明図である。
【図２０】図１９において電池が膨張した状態を示す説明図である。
【符号の説明】
【００５６】
１１…筐体、１３、１３Ａ、１３Ｂ、１３Ｃ、１３Ｄ…カバー部材、１３ｅ、１３ｉ…切欠部、１５…電池、１７…電池室、１９…ロック機構、２１…ロック解除機構、２７…電磁石、２９…圧力センサ、３３…制御部、２３、２３Ａ…ロック部材、４３、４３Ａ…ロック解除部材、４９…バネ部材。
【図１】
2008226496.tif 000003
【図２】
2008226496.tif 000004
【図３】
2008226496.tif 000005
【図４】
2008226496.tif 000006
【図５】
2008226496.tif 000007
【図６】
2008226496.tif 000008
【図７】
2008226496.tif 000009
【図８】
2008226496.tif 000010
【図９】
2008226496.tif 000011
【図１０】
2008226496.tif 000012
【図１１】
2008226496.tif 000013
【図１２】
2008226496.tif 000014
【図１３】
2008226496.tif 000015
【図１４】
2008226496.tif 000016
【図１５】
2008226496.tif 000017
【図１６】
2008226496.tif 000018
【図１７】
2008226496.tif 000019
【図１８】
2008226496.tif 000020
【図１９】
2008226496.tif 000021
【図２０】
2008226496.tif 000022